(57)【要約】【課題】配線をコンパクトにし、設置の容易な宅配ボックスを有する建具を提供すること。【解決手段】縦枠３１，３２、横枠３３，３４及び方立３５を有する枠体３０と、枠体３０の内側で方立３５の左右一側に配置される戸体２０と、枠体３０の内側で方立３５の左右他側に配置され、開口部１０１を有する袖部１０と、開口部１０１に配置される宅配ボックス６０と、を備え、宅配ボックス６０は、配達物を収容する本体部６１及び該本体部６１の取出口を開閉する扉６２を有し、扉６２内に、扉６２の開錠及び施錠を行うロック機構６２０及び該ロック機構６２０を駆動する電源部６２９が設けられている建具である。【選択図】図５
2019112874.tif 000002
【特許請求の範囲】
【請求項１】
縦枠、横枠及び方立を有する枠体と、
前記枠体の内側で前記方立の左右一側に配置される戸体と、
前記枠体の内側で前記方立の左右他側に配置され、開口部を有する袖部と、
前記開口部に配置される宅配ボックスと、を備え、
前記宅配ボックスは、配達物を収容する本体部及び該本体部の取出口を開閉する扉を有し、
前記扉内に、前記扉の開錠及び施錠を行うロック機構及び該ロック機構を駆動する電源部が設けられている建具。
【請求項２】
前記扉は、前記本体部に接続可能に前記本体部と別体に形成されている、請求項１に記載の建具。
【請求項３】
前記本体部は、室外側に取出口が形成され、室内側が開閉不能な箱状の形状を有する請求項１又は２に記載の建具。
【請求項４】
前記開口部を囲む前記縦枠、前記横枠及び前記方立の少なくとも一部は、見付方向に延出する延出片を有し、
前記宅配ボックスは、前記延出片に対向する当接部と、
前記当接部を室内側から室外側に見込方向で貫通して前記延出片に締結される締結部材と、を有する請求項１〜３のいずれか１項に記載の建具。
【発明の詳細な説明】
【技術分野】
【０００１】
本発明は、建具に関する。
【背景技術】
【０００２】
従来、不在時に宅配物を受け取るための宅配ボックスにおいて、玄関ドアの袖部に配置される建具と一体型のものが知られている。この種の建具を記載するものとして例えば特許文献１がある。特許文献１には、玄関ドア枠内における袖部に配達物投入扉を設けた建具について記載されている。
【先行技術文献】
【特許文献】
【０００３】
【特許文献１】実開昭６１−９４１７４号公報
【発明の概要】
【発明が解決しようとする課題】
【０００４】
特許文献１で提案された宅配ボックスは、宅配ボックスの扉をロックするロック機構が宅配ボックスから離れた位置にある。また、配達物を収容するための収容ボックスには、室外側に開閉可能な郵便物投入口が、室内側に開閉可能な取出し口が配置されている。配達物投入口や取り出し口のような開口部が複数設けられていたり、電気錠が宅配ボックスから離れた位置にあると、ロック機構の部品の配置や、ロック機構を駆動する電源の配線が複雑になることがあった。具体的には、電源部を例えば収容ボックスの底面の裏に配置して、ロック機構の各部品及び電源部を接続する配線を引き、邪魔にならないように配線を延ばし、迂回させて配置する場合があった。
【０００５】
本発明は、配線をコンパクトにし、設置の容易な宅配ボックスを有する建具を提供することを目的とする。
【課題を解決するための手段】
【０００６】
本発明は、縦枠（例えば、後述の縦枠３１，３２）、横枠（例えば、後述の横枠３３，３４）及び方立（例えば、後述の方立３５）を有する枠体（例えば、後述の枠体３０）と、前記枠体の内側で前記方立の左右一側に配置される戸体（例えば、後述の戸体２０）と、前記枠体の内側で前記方立の左右他側に配置され、開口部（例えば、後述の開口部１０１）を有する袖部（例えば、後述の袖部１０）と、前記開口部に配置される宅配ボックス（例えば、後述の宅配ボックス６０）と、を備え、前記宅配ボックスは、配達物を収容する本体部（例えば、後述の本体部６１）及び該本体部の取出口を開閉する扉（例えば、後述の扉６２）を有し、前記扉内に、前記扉の開錠及び施錠を行うロック機構（例えば、後述のロック機構６２０）及び該ロック機構を駆動する電源部（例えば、後述の電源部６２９）が設けられている建具に関する。
【０００７】
前記扉は、前記本体部に接続可能に前記本体部と別体に形成されていることが好ましい。
【０００８】
前記本体部は、室外側に取出口（例えば、後述の取出口６０１）が形成され、室内側が開閉不能な箱状の形状を有することが好ましい。
【０００９】
前記開口部を囲む前記縦枠、前記横枠及び前記方立の少なくとも一部は、見付方向に延出する延出片（例えば、後述の室内側延出片３１２，室内側延出片３５２）を有し、
前記宅配ボックスは、前記延出片に対向する当接部（例えば、後述の当接部７１２，７２２）と、
前記当接部を室内側から室外側に見込方向で貫通して前記延出片に締結される締結部材（例えば、後述の締結部材７１６，７２６）と、を有することが好ましい。
【発明の効果】
【００１０】
本発明によれば、配線をコンパクトにし、設置の容易な宅配ボックスを有する建具を提供することができる。
【図面の簡単な説明】
【００１１】
【図１】本発明の一実施形態に係る建具を室外側から見た図である。
【図２】本実施形態の建具における袖部の縦断面図である。
【図３】本実施形態の建具における上部の横断面図である。
【図４】本実施形態の建具における下部の横断面図である。
【図５】本実施形態の宅配ボックスの扉が開いた状態を示す斜視図である。
【図６】本実施形態の建具の宅配ボックスが取り付けられる前の状態を室内側から示す斜視図である。
【図７】本実施形態の宅配ボックスに固定される上面取付プレート及び側面取付プレートを示す斜視図である。
【図８】本実施形態の建具に取り付けられた宅配ボックスを室内側から見た斜視図である。
【図９】本実施形態の袖部の部分拡大断面図である。
【図１０】本実施形態の宅配ボックスの扉の裏板における吊元側の部分斜視図であり、（ａ）図は気密材を貼る前、（ｂ）図は気密材を貼って屈曲させた後を示す。
【発明を実施するための形態】
【００１２】
以下、本発明の好ましい実施形態について、図面を参照しながら説明する。図１は、本実施形態に係る建具１の正面図である。図２は、建具１における袖部１０の縦断面図である。図３は、建具１における上部の横断面図であり、図４は、建具の下部の横断面図である。なお、以下の説明で左右方向は、図１を正面としたときの左右方向である。
【００１３】
図１〜図４に示す建具１は、枠体３０と、戸体２０と、袖部１０と、を備える玄関ドアである。
【００１４】
枠体３０は、建具１の四周を構成するともに、戸体２０と袖部１０の間を仕切るものである。枠体３０は、一対の縦枠３１、３２と、一対の横枠３３、３４と、方立３５と、無目３６と、を備える。
【００１５】
一対の縦枠３１、３２は、建具の左右方向における一方と他方の端部に配置される。一方の縦枠３１は、袖部１０の側方に、他方の縦枠３２は、戸体２０の側方に配置される。一対の横枠３３、３４は、建具の上下に配置される。一対の縦枠３１、３２及び一対の横枠３３、３４が建具１の四周を形成する。
【００１６】
方立３５は、枠体３０の内側を左右一側と左右他側に区画する。方立３５によって区画された左右一側に戸体２０が配置され、左右他側に袖部１０が配置される。無目３６は、縦枠３１と方立３５の間に配置される。無目３６によって袖部１０が上下に区画される。方立３５における戸体２０側の見込面には保持片３６８が形成され、この保持片３６８が閉鎖位置の戸体２０に見込方向で当接する室外側気密材３６９を支持する。
【００１７】
戸体２０は、枠体３０に対して開閉可能に取り付けられており、建具１の出入口を構成する。本実施形態の戸体２０は、縦枠３２に複数のヒンジ３２０を介して回転可能に支持される。縦枠３２におけるヒンジ３２０が固定される見込面には、保持片３２２が形成される。保持片３２２は、閉鎖位置の戸体２０に見込方向で当接するクッション材３２１を支持する。
【００１８】
袖部１０は、その上部に採光パネル１２が配置され、下部に宅配ボックス６０が配置される開口部１０１を有する。
【００１９】
採光パネル１２は、光を透過する部材によって構成される。本実施形態の採光パネル１２は、室外側パネル１２ａと室内側パネル１２ｂがスペーサー１２ｃを介して離間するように配置される複層ガラス（ガラス面材）である。
【００２０】
採光パネル１２を保持する構成について説明する。図２に示すように、採光パネル１２の上部は、横枠３３の下側に配置される上部保持部材３３１によって保持される。上部保持部材３３１の下部は採光パネル１２の上部が差し込まれるガラス溝となっている。上部保持部材３３１には、室外側気密材３３２及び室内側気密材３３３が配置されており、採光パネル１２は、その上部が見込方向で室外側気密材３３２と室内側気密材３３３に挟み込まれた状態で保持される。
【００２１】
採光パネル１２の下部は、無目３６の上部に形成される下部保持部３６１よって保持される。下部保持部３６１は、その上部がガラス溝となっており、上部保持部材３３１と同様に、室外側気密材３６２と室内側気密材３６３が配置される。採光パネル１２は、その下部が見込方向で室外側気密材３６２と室内側気密材３６３に挟み込まれた状態で保持される。また、下部保持部３６１の内側には採光パネル１２を下から支持するセッティングブロック３６４が配置される。
【００２２】
図３に示すように、採光パネル１２は、左右方向一側の側部が方立３５によって保持されるとともに、左右方向他側の側部が縦枠３１によって保持される。
【００２３】
方立３５の袖部１０側の見込面には室外側保持片３５１及び室内側延出片３５２が形成される。また、方立３５の見込面における室外側保持片３５１と室内側延出片３５２の間には、室内側係合部材３５３を係合するための係合片３５７が形成される。室内側係合部材３５３は、その室内側の部位が室内側延出片３５２に係合されるとともに室外側端部が係合片３５７に係合される。室外側保持片３５１と室内側係合部材３５３によってガラス溝が形成され、該ガラス溝の内側にはセッティングブロック３５６が配置される。また、室外側保持片３５１は、方立３５の本体部分から見付方向の縦枠３１側に延びた後、見込方向室内側に屈曲するように形成される。室外側保持片３５１の先端には室外側気密材３５４が配置される。室内側係合部材３５３は、見付方向の縦枠３１側に延びた後、見込方向室外側に屈曲するように形成され、その先端には室内側気密材３５５が配置される。採光パネル１２は、その方立３５側の側部が見込方向で室外側気密材３５４と室内側気密材３５５に挟み込まれた状態で保持される。方立３５の室外側保持片３５１及び室内側延出片３５２は、方立３５の本体部分の室内側面３５ａ及び室外側面３５ｂよりも見込方向内側で袖部１０側に突出する。このため、方立３５の室外側面３５ｂには、袖部１０側で室内側に窪むような段差が形成される。
【００２４】
縦枠３１の袖部１０側の見込面には室外側保持片３１１及び室内側延出片３１２が形成される。また、縦枠３１の見込面における室外側保持片３１１と室内側延出片３１２の間には、室内側係合部材３１３を係合するための係合片３１７が形成される。室内側係合部材３１３は、その室内側の部位が室内側延出片３１２に係合されるとともに室外側端部が係合片３１７に係合される。室外側保持片３１１と室内側係合部材３１３によってガラス溝が形成され、該ガラス溝の内側にはセッティングブロック３１６が配置される。また、室外側保持片３１１は、縦枠３１の本体部分から見付方向の方立３５側に延びた後、見込方向室内側に屈曲するように形成される。室外側保持片３１１の先端には室外側気密材３１４が配置される。室内側係合部材３１３は、見付方向の縦枠３１側に延びた後、見込方向室外側に屈曲するように形成され、その先端には室内側気密材３１５が配置される。採光パネル１２は、その縦枠３１側の側部が見込方向で室外側気密材３１４と室内側気密材３１５に挟み込まれた状態で保持される。縦枠３１の室外側保持片３１１及び室内側延出片３１２は、方立３５の室外側保持片３５１及び室内側延出片３５２とそれぞれ向かい合う位置に配置される。室外側保持片３１１及び室内側延出片３１２は、縦枠３１の本体部分の室内側面３１ａ及び室外側面３１ｂよりも見込方向内側で袖部１０側に突出する。このため、縦枠３１の室外側面３１ｂには、袖部１０側で室内側に窪むような段差が形成される。この段差は、方立３５側で形成される段差と対称な位置で形成される。
【００２５】
室外側気密材３３２、３６２、３５４、３１４は、何れも先付ビードであり、ゴム等の弾性変形可能な部材によって構成される。室内側気密材３３３，３６３，３５５，３１５も、弾性変形可能な部材によって構成される。
【００２６】
宅配ボックス６０は、無目３６を挟んで採光パネル１２の下方に位置する。宅配ボックス６０は、宅配物等を収容可能な空間を有する本体部６１と、本体部６１に対して開閉可能に取り付けられる扉６２と、を主要な構成として備える。
【００２７】
図５は、本実施形態の宅配ボックス６０の扉が開いた状態を示す斜視図である。図５に示すように、本体部６１は、枠体３０に固定された状態で室外側に投入口を兼ねる取出口６０１が形成される（図５参照）。本体部６１の取出口６０１が扉６２によって閉鎖されることにより、宅配ボックス６０の内部が外部から隔てられる。扉６２は、本体部６１における縦枠３１側に開閉可能に支持されている。扉６２の方立３５側に位置する戸先側が手掛け部６２１となっている。また、扉６２には、暗証番号を入力する操作部６２３を含むロック機構６２０や、電源部６２９が収容される電池ボックス６２５等が配置される。
【００２８】
次に、宅配ボックス６０の取付構造について説明する。図６は、本実施形態の建具１の宅配ボックス６０が取り付けられる前の状態を室内側から示す斜視図である。図７は、本実施形態の宅配ボックス６０に固定される上面取付プレート７０及び側面取付プレート７１，７２を示す分解斜視図である。図８は、本実施形態の建具１に取り付けられた宅配ボックス６０を室内側から見た斜視図である。
【００２９】
図７及び図８に示すように、本実施形態の宅配ボックス６０には、本体部６１の上面に配置される上面取付プレート７０と、本体部６１の左右両側の側面にそれぞれ配置される側面取付プレート７１，７２と、が配置される。
【００３０】
図２に示すように、上面取付プレート７０は、本体部６１の上面に固定される固定面７００と、固定面７００の室外側端部から上方に屈曲する室外側見付面部７０１と、固定面７００の室内側端部から上方に屈曲した後、見込方向室外側に延びて下方に折り返す当接部７０２と、を備える。図７に示すように、ネジ等の締結部材７０５が固定面７００を貫通して本体部６１に固定されることで上面取付プレート７０が本体部６１に固定される。
【００３１】
無目３６の下面には室外側保持片３６５及び室内側延出片３６６が形成されている。室外側保持片３６５は、無目３６の本体部分から下方に延出した後、見込方向室内側に屈曲する。室外側保持片３６５の先端には、室外側気密材３６７が固定される。宅配ボックス６０が袖部１０に固定された状態では、上面取付プレート７０の室外側見付面部７０１が、室外側気密材３６７に見込方向で接触するとともに当接部７０２の室外側の見付面７０３が室内側延出片３６６に対向する状態となる。無目３６は、縦枠３１及び方立３５よりも室内側に奥まっており、段差状になっている。当接部７０２は、宅配ボックス６０が固定された状態で、その室内側の面が縦枠３１及び方立３５の室内側の面と面一になる形状に構成される。
【００３２】
図４に示すように、側面取付プレート７１は、本体部６１の側面に固定される固定面７１０と、固定面７１０の室外側端部から縦枠３１側に屈曲する室外側見付面部７１１と、固定面７１０の室内側端部から縦枠３１側に延出した後、見込方向室外側に延び、更に本体部６１側に折り返す当接部７１２と、を備える。図７に示すように、ネジ等の締結部材７０５が固定面７１０を貫通して本体部６１に固定されることで側面取付プレート７１が本体部６１に固定される。
【００３３】
宅配ボックス６０が袖部１０に固定された状態では、側面取付プレート７１の室外側見付面部７１１が、縦枠３１の室外側保持片３１１の室外側気密材３１４に見込方向で接触するとともに当接部７１２の室外側の見付面７１３が室内側延出片３５２に対向する状態となる。図８に示すように、当接部７１２の室内側面には貫通孔７２５が上下方向に間隔をあけて複数形成される。この貫通孔７２５を通じてリベット等の締結部材７１６が当接部７１２の室外側の見付面を貫通して縦枠３１の室外側保持片３１１に締結される。貫通孔７２５にはカバー部材７３０が配置され、締結部材７１６が室内側からも見えない位置となっている。
【００３４】
側面取付プレート７２は、本体部６１の側面に固定される固定面７２０と、固定面７２０の室外側端部から方立３５側に屈曲する室外側見付面部７２１と、固定面７２０の室内側端部から方立３５側に延出した後、見込方向室外側に延び、更に本体部６１側に折り返す当接部７２２と、を備える。図７に示すように、ネジ等の締結部材７０５が固定面７２０を貫通して本体部６１に固定されることで側面取付プレート７２が本体部６１に固定される。
【００３５】
宅配ボックス６０が袖部１０に固定された状態では、側面取付プレート７２の室外側見付面部７２１が、方立３５の室外側保持片３５１の室外側気密材３５４に見込方向で接触するとともに当接部７２２の室外側の見付面７２３が室内側延出片３５２に対向する状態となる。当接部７２２の室内側面には貫通孔７２５が上下方向に間隔をあけて複数形成される。この貫通孔７２５を通じてネジ等の締結部材７２６が当接部７２２の室外側の見付面を貫通して方立３５の室外側保持片３５１に締結される。貫通孔７２５にはカバー部材７３０が配置され、締結部材７１６が室内側からも見えない位置となっている。
【００３６】
宅配ボックス６０の下面は、横枠３４の上側に配置される下部保持部材３４１によって保持される。下部保持部材３４１の上部は溝状になっている。下部保持部材３４１の室外側上部には室外側気密材３４５が配置される。本体部６１の室外側は、この室外側気密材３４５を介して下から支持される。
【００３７】
次に、宅配ボックス６０における宅配物の取出方法について説明する。図４に示すように、本実施形態の宅配ボックス６０は、建具１の本体部６１の室内側には取出口が形成されておらず、扉６２を開いたときのみ取出口６０１を通じて宅配ボックスの内部にアクセスできるようになっている。
【００３８】
次に、宅配ボックス６０の扉６２についてより詳細に説明する。
図５に示すように、扉６２には、ロック機構６２０と、電源部６２９が設けられる。扉６２の裏板６２ｂ側には、ロック機構６２０の一部と、略矩形状のケースである電池ボックス６２５とが露出しており、電池ボックス６２５内にロック機構６２０の他の部品及び電源部６２９が収容されている。
なお、裏板６２ｂには、図５中、印鑑ケース６２８が示されているように、適宜小物入れ等が配置されてもよい。
【００３９】
ロック機構６２０は、本体部６２２と、操作部６２３と、ロッド棒６２４とを有する。
本体部６２２は、電池ボックス６２５内に収容されている。本体部６２２は、操作部６２３及びロッド棒６２４と電気的及び機械的に接続されて、開錠及び施錠の動作を制御する部分である。
操作部６２３は、表板６２ａ側に露出するスイッチや回転する数字盤、認証用画面等であり、宅配ボックス６０の利用者が開錠のための操作を行う部分である。操作部６２３は、扉６２の戸先側の上部に配置される。
ロッド棒６２４は、上下に移動可能に取り付けられている。図５に示すように、ロッド棒６２４は、電池ボックス６２５の吊元側の上部から延びるロッド棒６２４ａと、戸先側の下部から延びるロッド棒６２４ｂとを含み、合計２本延びている。ロッド棒６２４には、操作部６２３の操作に応じて、本体部６２２内のソレノイドの動きが伝えられる。図５に示すように、施錠時は、ロッド棒６２４ａは上方に、ロッド棒６２４ｂは下方に移動して、宅配ボックス６０の本体部６１における取出口６０１の上部及び下部に形成されたロック孔６１ａ、６１ｂにそれぞれ挿通することで扉６２が施錠される。開錠時は、ロッド棒６２４がロック孔６１ａ、１ｂから抜けるように移動することで、扉６２と本体部６１との係合が解かれるように構成される。
【００４０】
電源部６２９は、ロック機構６２０を駆動する電池と、ロック機構６２０の本体部６２２、操作部６２３、ロッド棒６２４を接続する配線とを有する。電源部６２９は、電池ボックス６２５の蓋を取り外すことで交換できるように配置されており、配線は表板６２ａと裏板６２ｂとの間に配置されている。すなわち、扉６２の表板６２ａと裏板６２ｂとの間に各種の配線や機械部品が配置されており、宅配ボックス６０の他の部分と接続しなくても、宅配ボックス６０の施錠を行うための機構が扉６２の内部で完結している。
【００４１】
扉６２は、本実施形態では、本体部６１に接続可能に本体部６１と別体に形成されている。本体部６１よりも扉６２の方が幅広になっているため、扉６２が一体となっていると、宅配ボックス６０の取り付け時には、ネジ止め等で内部が視認できなくなる等、施工しにくくなるからである。扉６２は、本体部６１を袖部１０の開口部１０１に取り付けた後、本体部６１の吊元側の側板６１４に扉６２を取り付ける。
【００４２】
図９は、袖部１０の部分拡大断面図である。扉６２は、表板５２ａ及び裏板６２ｂを有し、外縁で接合されて形成される。図９に示す通り、扉６２は、片開きで建具１の幅方向の端部側に設けられた蝶番６４が回動することで開閉される。扉６２の幅は、本体部６１の本体部開口６１１と側板６１４の厚みを合せた幅より広く形成されている。扉６２の吊元側は、本体部６１の縦枠側の側板６１４に蝶番６４を介して取り付けられる。扉６２の戸先側で上下方向に延びる戸先側縁は、方立３５側の側板６１４の厚さ部分を越えて方立３５側に突出する。扉６２の戸先側縁は、方立３５の袖部１０側における室外側面の端部に対向して、方立３５の一部と見込方向に重なるように配置される。
【００４３】
図９に示すように、手掛け部６２１は、平面視で扉６２の表板６２ａ側が平坦に形成され、裏板６２ｂが戸先で表板６２ａ側に向かって傾斜することで形成される。手掛け部６２１の裏板６２ｂの傾斜の裏には、略三角形の隙間が形成される。
方立３５の袖部１０側は、採光パネル１２を挟持する室外側保持片３５１及び室内側延出片３５２によって採光パネル１２側に窪む段差が形成されているので、扉６２の戸先側に形成される略三角形の隙間と、段差との間に指をかける空間が形成される。この空間に手掛け部６２１が配置されることで、室外側から指を空間に挿入しつつ、手掛け部６２１の室内側を指で押すことで扉６２が開く。
【００４４】
図１０は、宅配ボックス６０の扉６２の裏板６２ｂにおける吊元側の部分斜視図であり、（ａ）図は気密材６５を貼る前、（ｂ）図は気密材６５を貼って屈曲させた後を示す。図１０（ａ）に示すように、扉６２の裏板６２ｂの吊元側の端部６３は、室内側に折り曲げられて更に巻き込むように室外側へ向かい、図示するように、五つの面を有する。
第１面６３１は、裏板６２ｂの吊元側で更に室外側に向かって屈曲し、室内外方向に延びる。
第２面６３２は、第１面６３１の端部から、扉６２の面方向に沿うように延びる。
第３面６３３は、第１面６３１と向かい合う位置で、室内側に向かって屈曲し、室内外方向に延びる。
第４面６３４は、第３面６３３の端部から、第２面６３２に対向し、建具の左右方向に延びる。第４面６３４には、蝶番６４が取り付けられ、蝶番６４を介して扉６２が建具の縦枠に取り付けられる。
第５面６３５は、第３面６３３の端部から更に室外側に向かって屈曲し、室内外方向に延びる。第５面６３５は、第１面６３１に向かい合う。
【００４５】
図１０（ａ）に示すように、裏板６２ｂは、機械加工により第１面６３１と第２面６３２の間、第３面６３３と第４面６３４との間、第４面６３４と第５面６３５との間は予め屈曲されている。しかし、図１０（ｂ）に示すように、第１面６３１と第５面６３５との間を気密に保ち、雨水の侵入等を防止するため、第１面６３１と第５面６３５との間に気密材６５を貼付する。作業者が手で貼付するに当たり、仮に第２面６３２と第３面６３３の間が予め屈曲していると、指が入らないので貼り付けづらい。
【００４６】
図１０（ａ）に示すように、第２面６３２と第３面６３３との境界には、裏板６２ｂの長手方向に沿って、細長い長孔６３６を断続的に配置するとともに、長孔６３６と長孔６３６との間に円形の丸孔６３７を２つ配置する。気密材６５を貼付する前は、第２面６３２及び第３面６３３が同じ面で繋がっているので広い空間が形成される。この状態で、作業者は気密材６５を第１面６３１に貼付することができる。
【００４７】
図１０（ｂ）に示すように、長孔６３６と丸孔６３７が形成されることにより、第１面６３１に気密材６５を貼付した後、第２面６３２と第３面６３３との間を人力で屈曲させることが可能になる。この時、丸孔６３７が２つ長孔６３６の間に配置されていることで、第２面６３２と第３面６３３との間の境界に角が形成されやすく、人力でも曲げ加工のばらつきを防止することができる。図１０（ｂ）では、説明の便宜のために第１面６３１と第５面６３５との間が開いているが、人力で屈曲させると、実際には第１面６３１と第５面６３５との間はより狭くなり、気密材６５によって塞がれる。扉６２の蝶番６４の近傍に気密材６５が取り付けられることで、室外側より本体部６１内部に雨水等が入りこむことが防止される。
【００４８】
本実施形態によれば、以下の効果が奏される。
本実施形態では、建具１を、縦枠３１、３２、横枠３３、３４及び方立３５を有する枠体３０と、枠体３０の内側で方立３５の左右一側に配置される戸体２０と、枠体３０の内側で方立３５の左右他側に配置され、開口部１０１を有する袖部１０と、開口部１０１に配置される宅配ボックス６０と、を含んで構成した。また、宅配ボックス６０を、配達物を収容する本体部６１及び本体部６１の取出口６０１を開閉する扉６２を含んで構成した。また、扉６２内に、扉６２の開錠及び施錠を行うロック機構６２０及び該ロック機構６２０を駆動する電源部６２９を設けた。
【００４９】
これにより、例えば電源部６２９を床板の下に設ける等、本体部側に配置する場合と比べて、配線が短くなり、ロック機構６２０とこれを駆動する電源部６２９をコンパクトに配置することができ、施工性が向上する。
【００５０】
また、本実施形態では、扉６２を、本体部６１に接続可能に本体部６１と別体に形成した。
上述の通り、ロック機構６２０を駆動するのに必要な電気系の配線が、本体部６１から独立するので、本体部６１と扉６２とを独立させてシンプルに構成することができる。よって、本体部６１を先に袖部１０の開口部に挿入して取り付けた後で、扉６２を取り付けることがき、更に施工性が向上する。
【００５１】
また、本実施形態では、本体部６１を、室外側に取出口６１０が形成され、室内側が開閉不能な箱状の形状を有するように構成した。
これにより、本体部６１における枠体３０の室内側が閉じられているので、悪意のある第三者が扉６２を開いたとしても、取出口６０１を通じて室内側に手や器具を差し入れたりすることができない構造となり、防犯性が向上する。
【００５２】
また、本実施形態では、開口部１０１を囲む縦枠３１を見付方向に延出する室内側延出片３１２を含んで構成し、方立３５を室内側延出片３５２を含んで構成した。また、宅配ボックス６０を、室内側延出片３１２に対向する当接部７１２及び室内側延出片３５２に対向する当接部７２２と、当接部７１２，７２２を室内側から室外側に見込方向で貫通して室内側延出片３１２，３５２に締結される締結部材７１６，７２６と、を含んで構成した。
【００５３】
これにより、室外側から宅配ボックス６０を見込方向室内側に押し出そうとしても、見込方向室内側から室外側に締結される締結部材７１６，７２６によって宅配ボックス６０を枠体３０側に強固に保持することができ、防犯性を一層向上させることができる。
【００５４】
以上、本発明の好ましい実施形態について説明したが、本発明は、上述の実施形態に制限されるものではなく、適宜変更が可能である。
例えば、上記実施形態では、ロック機構６２０をロッド棒６２４ａ、６２４ｂを上下に移動させて本体部６１の取出口６０１の縁にロック孔６１ａ、６１ｂに挿入するように構成したが、これに限られない。ロック機構は、本体部６１と扉６２の開閉を制限できる構成であれば、特に限定されない。
【符号の説明】
【００５５】
１  建具
１０  袖部
２０  戸体
３０  枠体
３１，３２  縦枠
３３，３４  横枠
３５  方立
３６  方立
６０  宅配ボックス
６１  本体部
６２  扉
１０１  開口部
３１４，３３２，３５４，３６７  室外側気密材（気密材）
６０１  取出口
６２０  ロック機構
６２９  電源部
【図１】
2019112874.tif 000003
【図２】
2019112874.tif 000004
【図３】
2019112874.tif 000005
【図４】
2019112874.tif 000006
【図５】
2019112874.tif 000007
【図６】
2019112874.tif 000008
【図７】
2019112874.tif 000009
【図８】
2019112874.tif 000010
【図９】
2019112874.tif 000011
【図１０】
2019112874.tif 000012